(57)【要約】【課題】遊技球を下ステージの下ステージ面に沿って円滑に転動させること。【解決手段】上ステージ４８の下面および下ステージ６３の左下ステージ面６４相互間の左狭小部６５に左球噛み防止壁７２が設けられているので、遊技球が左下ステージ面６４に沿って左右方向へ転動するときに左球噛み防止壁７２によって跳ね返されるようになる。このため、遊技球が左狭小部６５内に挟まることが防止されるので、上ステージ４８から下ステージ６３に放出された遊技球が左下ステージ面６４に沿って円滑に左右方向へ転動するようになる。【選択図】図３
2008079883.tif 000002
【特許請求の範囲】
【請求項１】
遊技球が転動可能な遊技領域を有する遊技盤と、
前記遊技盤の遊技領域内に設けられ、表示器を保持する表示台枠と、
前記表示台枠に設けられ、遊技球を左右方向へ転動させることが可能な上ステージ面を有する上ステージと、
前記上ステージから遊技球が供給されると共に当該遊技球を左右方向へ転動させることが可能な下ステージ面を有するものであって、前記表示台枠に前記上ステージの下方に並べて設けられた下ステージを備え、
前記上ステージの下面および前記下ステージの下ステージ面相互間の隙間には、遊技球の直径寸法に比べて高さ寸法が小さな狭小部が設けられ、
前記狭小部には、前記下ステージ面に沿って転動する遊技球が前記狭小部に進入することを防止する進入防止壁が設けられていることを特徴とするパチンコ遊技機。
【請求項２】
前記進入防止壁には、前記下ステージ面に沿って転動する遊技球が衝突する先端部に位置して当該遊技球を直前の転動方向とは異なる方向へ跳ね返す反射面が形成されていることを特徴とする請求項１に記載のパチンコ遊技機。
【発明の詳細な説明】
【技術分野】
【０００１】
本発明は遊技球を左右方向へ転動させるステージ面が形成されたステージを有するパチンコ遊技機に関する。
【背景技術】
【０００２】
上記パチンコ遊技機には表示器を表示台枠に装着し、表示台枠に前ステージおよび後ステージを上下方向から見て重ならないように前後方向にずらして接合した構成のものがある。この構成の場合、前ステージおよび後ステージのそれぞれに左右方向へ延びる波形状のステージ面が形成されており、遊技球を後ステージのステージ面に沿って左右方向へ転動させた後に前ステージに放出し、前ステージに放出された遊技球を前ステージのステージ面に沿って左右方向へ転動させている（特許文献１参照）。
【特許文献１】特開２００２−３６９９１９号公報
【発明の開示】
【発明が解決しようとする課題】
【０００３】
上記パチンコ遊技機の場合、前ステージおよび後ステージの両者を前後方向にずらして配置している。このため、表示台枠の前後方向の幅寸法が大きくなるので、表示器が後方に大きく突出してしまう。これを対策するには上ステージおよび下ステージを上下方向に並べて表示台枠に接合し、上ステージに遊技球を左右方向へ転動させる上ステージ面を形成し、下ステージに遊技球を左右方向へ転動させる下ステージ面を形成することが考えられる。この構成の場合、下ステージ面が下方へ膨らむ湾曲形状になるので、上ステージの下面および下ステージ面相互間の隙間のうち下ステージ面の端部に対応する部分に遊技球の直径寸法に比べて高さ寸法が小さな狭小部が形成される。このため、上ステージから下ステージに放出された遊技球が下ステージの下ステージ面に沿って転動するときに狭小部に挟まる虞れがあるので、遊技球を下ステージ面に沿って円滑に転動させることができない。
【０００４】
本発明は上記事情に鑑みてなされたものであり、その目的は、上ステージから下ステージに放出された遊技球を下ステージの下ステージ面に沿って円滑に転動させることができるパチンコ遊技機を提供することにある。
【課題を解決するための手段】
【０００５】
［請求項１に記載のパチンコ遊技機の説明］
請求項１に記載のパチンコ遊技機は［１］遊技盤〜［５］進入防止壁を備えたところに特徴を有している。
［１］遊技盤は遊技球が転動可能な遊技領域を有するものである。図２の符号１８は遊技盤の一例であり、図２の符号２３は遊技領域の一例である。
［２］表示台枠は遊技盤の遊技領域内に設けられたものであり、表示器を保持するものである。図２の符号３０は表示台枠の一例であり、表示台枠３０が保持する図柄表示器３２は表示器に相当する。
［３］上ステージは表示台枠に設けられたものであり、遊技球を左右方向へ転動させることが可能な上ステージ面を有している。図４の符合４８は上ステージの一例であり、図４の符号５１は上ステージ面の一例である。
［４］下ステージは表示台枠に上ステージの下方に並べて設けられたものであり、下ステージ面を有している。このため、表示台枠の前後方向の幅寸法が上ステージおよび下ステージを前後方向にずらして配置する場合に比べて小さくなるので、表示器の後方への突出量が抑えられる。この下ステージの下ステージ面は上ステージから遊技球が供給されるものであり、上ステージから供給された遊技球を左右方向へ転動させることが可能なものである。図３の左下ステージ面６４および図３の右下ステージ面６６のそれぞれは下ステージ面の一例である。
［５］進入防止壁は狭小部に設けられたものであり、狭小部は上ステージの下面および下ステージの下ステージ面相互間の隙間のうち遊技球の直径寸法に比べて高さ寸法が小さな部分を称している。このため、上ステージから下ステージに放出された遊技球が下ステージ面に沿って転動するときに狭小部に挟まることが防止されるので、遊技球を下ステージ面に沿って円滑に転動させることができる。図３の左狭小部６５は上ステージ４８の下面および下ステージ６３の左下ステージ面６４相互間に形成された狭小部に相当するものであり、左球噛み防止壁７２は左下ステージ面６４に沿って転動する遊技球が左狭小部６５に進入することを防止する進入防止壁に相当する。図３の右狭小部６７は上ステージ４８の下面および下ステージ６３の右下ステージ面６６相互間に形成された狭小部に相当するものであり、右球噛み防止壁７４は右下ステージ面６６に沿って転動する遊技球が右狭小部６７に進入することを防止する進入防止壁に相当する。
［請求項２に記載のパチンコ遊技機の説明］
請求項２に記載のパチンコ遊技機は進入防止壁に反射面を設けたところに特徴を有している。この反射面は進入防止壁のうち下ステージ面に沿って転動する遊技球が衝突する先端部に設けられたものであり、下ステージ面に沿って転動する遊技球を直前の転動方向とは異なる方向へ跳ね返すものである。このため、遊技球が遊技領域内の特定の入球口に向って落下するように遊技球の転動方向を調整することができるので、遊技球の特定の入球口に対する入賞率を調整することができる。図８の左反射面７３は左球噛み防止壁７２に形成された反射面に相当し、図８の右反射面７５は右球噛み防止壁７４に形成された反射面に相当する。
【発明を実施するための最良の形態】
【０００６】
【実施例１】
【０００７】
図１の外枠１はパチンコホールの台島に設置されるものである。この外枠１は複数の木材を前後面が開口する四角筒状に接合することから構成されたものであり、外枠１には、図２に示すように、矩形枠状の内枠２が装着されている。この内枠２には下端部に位置してレール台板３が接合されており、レール台板３には発射レール４が固定されている。この発射レール４は右から左へ向って上昇傾斜するものであり、発射レール４の右端部にはストッパベース５が形成されている。このストッパベース５は発射レール４に対して直交する平板状をなすものであり、ストッパベース５には貫通状をなす打球孔が形成されている。
【０００８】
レール台板３には発射レール４の下方に位置して駆動源に相当する発射ソレノイド６が固定されている。この発射ソレノイド６はロータリーソレノイドからなるものであり、前後方向へ延びる出力軸を有している。この発射ソレノイド６の出力軸には打球槌７が連結されており、発射ソレノイド６のオフ状態では打球槌７が発射レール４から右方に離間する待機位置に回動操作され（実線参照）、発射ソレノイド６のオン状態では打球槌７が発射レール４に接近する打球位置（二点鎖線参照）に回動操作される。この打球槌７の先端部には突状の打球部８が形成されており、打球部８は打球槌７が打球位置に回動操作されることに基づいてストッパベース５の打球孔を通して発射レール４上に進入し、打球槌７が待機位置に回動操作されることに基づいて発射レール４上から退避する。
【０００９】
内枠２には、図１に示すように、下端部に位置して横長な長方形状の下皿板９が装着されており、下皿板９には下皿１０が接合されている。この下皿１０は遊技球が貯留されるものであり、上面が開口する容器状をなしている。この下皿１０の右方にはハンドル台１１が配置されている。このハンドル台１１は下皿板９に接合されたものであり、ハンドル台１１には発射ハンドル１２が装着されている。この発射ハンドル１２は前後方向へ延びる軸を中心に回動可能にされたものであり、発射ハンドル１２が予め決められた原位置から時計回り方向へ回動操作されたときには発射ソレノイド６に駆動電源が与えられることに基づいて打球槌７が待機位置および打球位置相互間で往復動を繰返す。
【００１０】
内枠２には、図１に示すように、下皿板９の上方に位置して前枠１３が装着されている。この前枠１３は内枠２の前面を閉鎖する閉鎖状態および内枠２の前面を開放する開放状態相互間で左端部の垂直な軸１４を中心に回動可能にされたものであり、前枠１３には円形状の貫通孔１５が形成され、貫通孔１５の内周面には透明な窓１６が接合されている。この前枠１３には上皿１７が接合されている。この上皿１７は遊技球が貯留されるものであり、上面が開口する容器状をなしている。この上皿１７内の遊技球は上皿１７内から発射レール４上の右端部に１個単位で移送されるものであり、ストッパベース５は発射レール４の右端部に移送された遊技球を係止することに基づいて遊技球が発射レール４の右端部から転落することを阻止する。この遊技球の移送は打球槌７が打球位置から待機位置に回動することに電気的に連動して移送機構が行うものであり、打球槌７の打球部８は打球槌７が待機位置から打球位置に回動することに基づいてストッパベース５が係止する遊技球を打球孔を通して叩き、打球部８が叩いた遊技球は発射レール４に沿って右から左へ転動した後に発射レール４の左端部から発射される。
【００１１】
内枠２には、図２に示すように、レール台板３の上方に位置して遊技盤１８が収納されており、遊技盤１８の前面には内レール１９と外レール２０と球止め部材２１が接合されている。内レール１９は上面が開口する円弧状をなすものであり、外レール２０は内レール１７の外周部に配置され、球止め部材２１は内レール１９の右端部および外レール２０の右端部相互間の隙間を塞いでいる。遊技盤１８には発射通路２２が形成されている。この発射通路２２は内レール１９および外レール２０相互間の左端部に形成された空間部を称するものであり、下端部および上端部のそれぞれが開口する円弧状をなしている。この発射通路２２の下端部は発射レール４の左端部に隙間を介して対向しており、遊技球が発射レール４の左端部から限度値を上回る強い勢いで発射されたときには隙間を飛び越えて発射通路２２内に下端部から進入し、発射通路２２に沿って円弧状の軌跡を描きながら上昇した後に発射通路２２の上端部から放出される。
【００１２】
遊技盤１８には、図２に示すように、遊技領域２３が形成されている。この遊技領域２３は内レール１９と外レール２０と球止め部材２１によって囲まれた領域のうち発射通路２２を除く円形状の部分を称するものであり、発射通路２２の上端部から放出された遊技球が転動可能な最大範囲に相当する。この遊技領域２３内には複数の障害釘が固定されており、発射通路２２の上端部から放出された遊技球は障害釘に当りながら遊技領域２３内を転動する。この遊技領域２３は前枠１３の閉鎖状態で窓１６の後方に対向するものであり、前方から窓１６を通して視覚的に認識可能にされている。
【００１３】
遊技盤１８には、図２に示すように、遊技領域２３内に位置して特別入賞口２４および始動口２５が固定されている。特別入賞口２４は前面が開口する四角筒状をなすものであり、特別入賞口２４には扉２６が下端部の水平な軸２７を中心に回動可能に装着されている。この扉２６は特別入賞口ソレノイドに連結されており、特別入賞口ソレノイドの断電状態では扉２６が垂直な閉鎖状態になることに基づいて特別入賞口２４の前面を遊技球が入賞不能に閉鎖する。この扉２６は特別入賞口ソレノイドの通電状態で前方へ水平に倒れた開放状態に回動するものであり、扉２６の開放状態では遊技領域２３内を転動する遊技球が扉２６に乗って特別入賞口２４内に前面から転がり込むことが許容される。
【００１４】
始動口２５は上面が開口するポケット状をなすものであり、遊技領域２３内を転動する遊技球は始動口２５内に上面から入賞可能にされている。この始動口２５内に遊技球が入賞したときには大当りであるか否かの判定処理が行われ、大当りであることが判定されたときには扉２６を開放状態にすることに基づいて遊技球が特別入賞口２４内に入賞することを許容する大当り遊技が実行される。遊技盤１８には遊技領域２３内に位置してアウト孔２８が形成されている。このアウト孔２８は内レール１９の最低部に配置されたものであり、特別入賞口２４内および始動口２５内のいずれにも入賞しなかった遊技球は内レール１９に沿ってアウト孔２８内に転がり込む。
【００１５】
遊技盤１８には、図３に示すように、遊技領域２３内に位置して貫通孔２９が形成されており、貫通孔２９の内周面には前方から飾り部材に相当する表示台枠３０が嵌合されている。この表示台枠３０には表示台枠３０を取囲むフランジ３１が形成されており、表示台枠３０は前方からフランジ３１を通して遊技盤１８に複数の釘を打込むことで固定されている。この表示台枠３０には液晶表示器からなる図柄表示器３２が固定されており、表示台枠３０には図柄表示器３２の前方に位置して貫通孔状の窓部３３が形成されている。この図柄表示器３２は表示器に相当するものであり、図柄表示器３２は前方から前枠１３の窓１６および窓部３２の両者を通して視覚的に認識可能にされている。この図柄表示器３２は図柄遊技の映像が表示されるものである。この図柄遊技の映像は大当りが判定されたか否かを遊技者に報知する内容のものであり、図柄遊技の映像は遊技球が始動口２５内に入賞したことを条件に開始され、大当り遊技は図柄遊技の映像で遊技者に大当りが報知された直後に開始される。
【００１６】
表示台枠３０の右端部には、図３に示すように、上押え台３４と中押え台３５と下押え台３６が接合されている。これら上押え台３４〜下押え台３６のそれぞれは中空状をなすものであり、下押え台３６には下外電飾管３７の下端部および下内電飾管３８の下端部のそれぞれが装着されている。これら下外電飾管３７および下内電飾管３８のそれぞれは透光性を有する円弧状をなすものであり、下外電飾管３７の上端部および下内電飾管３８の上端部のそれぞれは中押え台３５に装着されている。この中押え台３５には上外電飾管３９の下端部および上内電飾管４０の下端部のそれぞれが装着されている。これら上外電飾管３９および上内電飾管４０のそれぞれは透光性を有する円弧状をなすものであり、上外電飾管３９の上端部は上押え台３４に装着され、上内電飾管４０の上端部は表示台枠３０に装着されている。
【００１７】
上押え台３４の内部には上ＬＥＤ基板４１が収納され、中押え台３５の内部には中ＬＥＤ基板４２が収納され、下押え台３６の内部には下ＬＥＤ基板４３が収納されている。上ＬＥＤ基板４１には上外電飾管３９の内部に位置してＬＥＤ４４が搭載され、中ＬＥＤ基板４２には上外電飾管３９の内部および上内電飾管４０の内部のそれぞれに位置してＬＥＤ４５が搭載されており、上外電飾管３９は内部のＬＥＤ４４および内部のＬＥＤ４５のそれぞれが発光することに基づいて照明され、内電飾管４０は内部のＬＥＤ４５が発光することに基づいて照明される。中ＬＥＤ基板４２には下外電飾管３７の内部および下内電飾管３８の内部のそれぞれに位置してＬＥＤ４６が搭載され、下ＬＥＤ基板４３には下外電飾管３７の内部および下内電飾管３８の内部のそれぞれに位置してＬＥＤ４７が搭載されており、下外電飾管３７は内部のＬＥＤ４６および内部のＬＥＤ４７のそれぞれが発光することに基づいて照明され、下内電飾管３８は内部のＬＥＤ４６および内部のＬＥＤ４７のそれぞれが発光することに基づいて照明される。
【００１８】
表示台枠３０には、図４に示すように、上ステージ４８が形成されている。この上ステージ４８は表示台枠３０から前方へ突出する板状の部分を称するものであり、上ステージ４８にはステージ台４９が接合されている。これら上ステージ４８およびステージ台４９のそれぞれは透光性を有するものであり、左右方向の中央部が残りの部分に比べて前方へ突出する同心な円形状をなしている。このステージ台４９の上面は後から前へ向って下降傾斜しており、遊技領域２３内の遊技球がステージ台４９の上面に跳ね上がったときにはステージ台４９の上面に沿って前方へ転がることで上ステージ４８上に落下することなく遊技領域２３内に戻される。このステージ台４９は、図６に示すように、中空な容器状をなすものであり、ステージ台４９の内部空間は電装品収納室５０として機能する。この電装品収納室５０内にはＬＥＤ基板が収納されている。このＬＥＤ基板には複数の電飾ＬＥＤが搭載されており、ステージ台４９は複数の電飾ＬＥＤのそれぞれが発光することに基づいて内部から照明される。
【００１９】
上ステージ４８には、図４に示すように、上ステージ面５１が形成されている。この上ステージ面５１は上ステージ４８の上面のうちステージ台４９の前方に位置する円弧状の通路部分を称するものであり、上ステージ面５１の径方向の幅寸法は１個の遊技球が転動可能な値に設定されている。この上ステージ面５１には左右方向の中央部に位置して振分け面５２が形成されている。この振分け面５２は、図５に示すように、前から後へ向って下降傾斜するものであり、上ステージ面５１のうち振分け面５２を除く残りの部分は後から前へ向って下降傾斜している。この上ステージ面５１は、図６に示すように、左端部から中央部の振分け面５２に向って円弧状に下降傾斜すると共に右端部から中央部の振分け面５２に向って円弧状に下降傾斜しており、振分け面５２は上ステージ面５１のうち高さ方向の最低部に配置されている。
【００２０】
上ステージ４８には、図５に示すように、防護壁５３が形成されている。この防護壁５３は遊技球が上ステージ面５１の前端から遊技領域２３内に落下することを防止すると共に遊技領域２３内の遊技球が上ステージ面５１に跳ね上がることを防止するものであり、図３に示すように、上ステージ面５１の左端部および右端部のそれぞれで高さ寸法が中央部に比べて大きく設定されている。この防護壁５３の高さ寸法は全域で遊技球の直径寸法に比べて小さく設定されており、遊技球は防護壁５３によって隠されることなく上ステージ面５１に沿って転動する。
【００２１】
表示台枠３０の左端部には、図３に示すように、球通路に相当するワープ通路５４が形成されている。このワープ通路５４は上下方向へ延びるトンネル状をなすものであり、ワープ通路５４の幅寸法は１個の遊技球が転動可能な値に設定されている。このワープ通路５４の入口５５は遊技領域２３内に開口しており、遊技領域２３内を転動する遊技球は入口５５からワープ通路５４内に進入可能にされている。このワープ通路５４の出口５６は、図４に示すように、上ステージ４８の左端部に位置しており、ワープ通路５４内に進入した遊技球は出口５６から上ステージ４８の左端部に放出される。このワープ通路５４は、図３に示すように、遊技球を上ステージ４８に左から右へ付勢して供給する円弧状をなすものであり、ワープ通路５４の出口５６から上ステージ４８に放出された遊技球は上ステージ４８の上ステージ面５１に沿って左右方向へ繰返し転動した後に中央部の振分け面５２に沿って後方へ転動する。この振分け面５２の前端部の左右方向の幅寸法は、図７に示すように、遊技球の直径寸法程度に設定され、振分け面５２の後端部の左右方向の幅寸法は遊技球の直径寸法に比べて大きく設定されており、遊技球は振分け面５２に沿って前から後へ真直ぐとは限らない非安定的な経路で転動する。
【００２２】
ステージ台４９には、図４に示すように、排出口に相当するポケット５７が形成されている。このポケット５７は上ステージ４８の振分け面５２を後方から囲うように振分け面５２の後方に配置されたものであり、前面が開口する凹状をなしている。このポケット５７は内周面が円弧状に設定されたものであり、振分け面５２に沿って後方へ転動する遊技球は振分け面５２からポケット５７内に排出される。このポケット５７の下方には、図７に示すように、振分け部材５８が配置されている。この振分け部材５８は表示台枠３０に接合されたものであり、図３に示すように、左振分け部５９と中振分け部６０と右振分け部６１を有している。
【００２３】
中振分け部６０はポケット５７の真下に左右方向の中央部に位置して配置されたものであり、左右方向の中央部が残りの部分に比べて高所に位置する円弧状をなしている。この中振分け部６０には、図４に示すように、凹状のガイド面６２が形成されている。このガイド面６２の左右方向の幅寸法は前端部が遊技球の直径寸法に比べて小さく設定され、後端部が遊技球の直径寸法と同程度に設定されており、ポケット５７内に進入した遊技球が中振分け部５０のガイド面６２上に落下したときにはガイド面６２に案内されることに基づいて前から後へ真直ぐに転動する。
【００２４】
左振分け部５９は、図３に示すように、中振分け部６０の左方に位置する部分を称するものであり、中振分け部６０から左へ向って下降傾斜する円弧状をなしている。この左振分け部５９は、図７に示すように、ポケット５７の真下のうち左端部に偏って配置されたものであり、ポケット５７内に進入した遊技球が左振分け部５９上に落下したときには左振分け部５９に沿って左方へ転動する。右振分け部６１は、図３に示すように、中振分け部６０の右方に位置する部分を称するものであり、中振分け部６０から右へ向って下降傾斜する円弧状をなしている。この右振分け部６１は、図７に示すように、ポケット５７の真下のうち右端部に偏って配置されたものであり、ポケット５７内に進入した遊技球が右振分け部６１上に落下したときには右振分け部６１に沿って右方へ転動する。これら左振分け部５９および右振分け部６１のそれぞれは助走路に相当するものである。
【００２５】
表示台枠３０には、図４に示すように、下ステージ６３が形成されている。この下ステージ６３は表示台枠３０から前方へ突出する板状の部分を称するものであり、上ステージ４８の下方に並べて配置されている。この下ステージ６３には、図３に示すように、左下ステージ面６４が形成されている。この左下ステージ面６４は下ステージ面に相当するものであり、左右方向の中央部が残りの部分に比べて下方に突出する円弧状をなしている。この左下ステージ面６４の左端部は上ステージ４８の下面に鋭角θで交差するように接続されており、上ステージ４８の下面および左下ステージ面６４相互間の幅寸法は左下ステージ面６４の左端部で遊技球の直径寸法に比べて小さく設定され、残りの部分で遊技球の直径寸法に比べて大きく設定されている。この遊技球の直径寸法に比べて幅寸法が小さな部分を左狭小部６５と称する。
【００２６】
左下ステージ面６４の右端部は、図３に示すように、左振分け部５９に接続されており、左振分け部５９に沿って左方へ転動する遊技球は左振分け部５９から左下ステージ面６４に放出され、左下ステージ面６４に沿って左右方向へ繰返し転動する。この左下ステージ面６４は後から前へ向って下降傾斜しており、左下ステージ面６４に沿って左右方向へ転動する遊技球は左右方向へ転動する勢いが弱まることに基づいて左下ステージ面６４に沿って前方へ転がる。
【００２７】
表示台枠３０には、図３に示すように、右下ステージ面６６が形成されている。この右下ステージ面６６は下ステージ面に相当するものであり、左右方向の中央部が残りの部分に比べて下方に突出する円弧状をなしている。この右下ステージ面６６の右端部は上ステージ４８の下面に鋭角θで交差するように接続されており、上ステージ４８の下面および右下ステージ面６６相互間の幅寸法は右下ステージ面６６の右端部で遊技球の直径寸法に比べて小さく設定され、残りの部分で遊技球の直径寸法に比べて大きく設定されている。この遊技球の直径寸法に比べて幅寸法が小さな部分を右狭小部６７と称する。
【００２８】
右下ステージ面６６の左端部は、図３に示すように、右振分け部６１に接続されており、右振分け部６１に沿って右方へ転動する遊技球は右振分け部６１から右下ステージ面６６に放出され、右下ステージ面６６に沿って左右方向へ繰返し転動する。この右下ステージ面６６は後から前へ向って下降傾斜しており、右下ステージ面６６に沿って左右方向へ転動する遊技球は左右方向へ転動する勢いが弱まることに基づいて右下ステージ面６６に沿って前方へ転がる。
【００２９】
表示台枠３０には、図４に示すように、前下ステージ面６８が形成されている。この前下ステージ面６８は左右方向の中央部が残りの部分に比べて下方へ突出する円弧状をなすものであり、図３に示すように、左下ステージ面６４および右下ステージ面６６の双方の前方に配置されている。この前下ステージ面６８は後から前へ向って下降傾斜するものであり、左下ステージ面６４に沿って前方へ転がる遊技球および右下ステージ面６６に沿って前方へ転がる遊技球のそれぞれは前下ステージ面６８に放出され、前下ステージ６８に放出された遊技球は前下ステージ面６８の前端から遊技領域２３内に戻される。
【００３０】
振分け部材５８には、図５に示すように、前後方向へ真直ぐに延びるトンネル６９が形成されている。このトンネル６９の入口７０は、図４に示すように、中振分け部６０のガイド面６２の後方に配置されており、ガイド面６２に沿って後方へ転がる遊技球は入口７０からトンネル６９内に進入し、トンネル６９に沿って後から前へ真直ぐに転動する。このトンネル６９の出口７１は、図３に示すように、左下ステージ面６４および右下ステージ面６６相互間に配置されており、トンネル６９内を転動する遊技球はトンネル６９の出口７１から前下ステージ面６８に直接的に放出される。このトンネル６９の出口７１の真下には、図２に示すように、始動口２５が配置されており、トンネル６９の出口７１から前下ステージ面６８上に放出された遊技球は左振分け部５９から左下ステージ面６４を通して前下ステージ面６８に放出された遊技球に比べて始動口２５内に高確率で入賞し、右振分け部６１から右下ステージ面６６を通して前下ステージ面６８に放出された遊技球に比べても始動口２５内に高確率で入賞する。
【００３１】
下ステージ６３には、図３に示すように、進入防止壁に相当する左球噛み防止壁７２が形成されている。この左球噛み防止壁７２は左狭小部６５内に配置されたものであり、左下ステージ面６４の左端部から左右方向の中央部に向って水平に延びている。この左球噛み防止壁７２の先端部には、図８に示すように、左反射面７３が形成されている。この左反射面７３は後から前へ向うに従って左方へ直線的に傾斜するものであり、左振分け部５９から左下ステージ面６４に放出された遊技球は左球噛み防止壁７２の左反射面７３に衝突する。この左球噛み防止壁７２は左振分け部５９から左下ステージ面６４に放出された遊技球が左狭小部６５内に挟まらないように遊技球を跳ね返すものであり、左反射面７３の傾斜角度θは遊技球が右斜め前方へ向って跳ね返る値に設定されている。
【００３２】
下ステージ６３には、図３に示すように、進入防止壁に相当する右球噛み防止壁７４が形成されている。この右球噛み防止壁７４は右狭小部６７内に配置されたものであり、右下ステージ面６６の右端部から左右方向の中央部に向って水平に延びている。この右球噛み防止壁７４の先端部には、図８に示すように、右反射面７５が形成されている。この右反射面７５は後から前へ向うに従って右方へ直線的に傾斜するものであり、右振分け部６１から右下ステージ面６６に放出された遊技球は右球噛み防止壁７４の右反射面７５に衝突する。この右球噛み防止壁７４は右振分け部６１から右下ステージ面６６に放出された遊技球が右狭小部６７内に挟まらないように遊技球を跳ね返すものであり、右反射面７５の傾斜角度θは遊技球が左斜め前方へ向って跳ね返る値に設定されている。
【００３３】
上記実施例１によれば次の効果を奏する。
上ステージ４８および下ステージ６３を上下方向に並べて表示台枠３０に接合した。このため、表示台枠３０の前後方向の幅寸法が上ステージ４８および下ステージ６３を前後方向にずらして配置する場合に比べて小さくなるので、図柄表示器３２の後方への突出量が抑えられる。しかも、上ステージ４８からポケット５７を通して排出された遊技球を下ステージ６３の左下ステージ面６４に左振分け部５９を通して供給した。このため、遊技球が左下ステージ面６４に沿って左右方向へ繰返し転動する確率が高まるので、総じて図柄表示器３２の後方への突出量を抑えながらも遊技球を上ステージ４８で転動させた後に下ステージ６３に沿って時間的に長く転動させることが可能になる。この効果は右下ステージ面６６についても同様である。
【００３４】
上ステージ４８の上ステージ面５１を左右方向の中央部が残りの部分に比べて前方へ突出する円弧状に設定した。このため、表示台枠３０の前後方向の幅寸法を有効に利用して遊技球の転動経路を長く設定することができるので、遊技球を上ステージ面５１に沿って時間的に長く転動させることが可能になる。しかも、上ステージ４８のうち上ステージ面５１の後方にスペースが形成されるので、上ステージ面５１の後方のスペースにステージ台４９を接合することが可能になる。このため、ステージ台４９の電装品収納部５０内にＬＥＤ基板を収納し、ステージ台４９を電飾することが可能になる。
【００３５】
上ステージ面５１の前端部に防護壁５３を設けたので、遊技球が遊技領域２３内から上ステージ面５１に跳ね上がることを防止できる。このため、上ステージ面５１に沿って転動する遊技球に遊技領域２３内から跳ね上がった遊技球が衝突することが防止されるので、上ステージ面５１に沿って転動する遊技球が振分け面５２からガイド面６２およびトンネル６９を通る経路で始動口２５に入賞することが妨げられる確率が低くなる。
【００３６】
上ステージ４８から排出された遊技球を右から左へ転がす傾斜状の左振分け部５９と左から右へ転がす傾斜状の右振分け部６１と後から前へ真直ぐに転がすトンネル６９を設け、左振分け部５９を左下ステージ面６４に接続し、右振分け部６１を右下ステージ面６６に接続した。このため、上ステージ４８からトンネル６９に振分けられなかった遊技球が左下ステージ面６４および右下ステージ面６６のいずれかに振分けられ、左下ステージ面６４および右下ステージ面６６のいずれかに沿って左右方向へ繰返し転動した後に遊技領域２３内に戻されるようになる。従って、トンネル６９を通らない低入賞率の遊技球の転動時間がトンネル６９を通る高入賞率の遊技球の転動時間に比べて長くなるので、低入賞率の遊技球について始動口２５に入賞するか否かの期待感を遊技者に長く持たせることができる。
【００３７】
上ステージ４８の下面および下ステージ６３の左下ステージ面６４相互間の左狭小部６５に左球噛み防止壁７２を設けたので、遊技球が左下ステージ面６４に沿って左右方向へ転動するときに左球噛み防止壁７２によって跳ね返されるようになる。このため、遊技球が左狭小部６５内に挟まることが防止されるので、左下ステージ面６４に沿って円滑に左右方向へ転動するようになる。しかも、左球噛み防止壁７２に左反射面７３を形成し、左球噛み防止壁７２に衝突した遊技球を右斜め前方へ跳ね返した。このため、左下ステージ面６４に沿って転動する遊技球が前下ステージ面６８から特定の入球口である始動口２５側へ向けて落下するようになるので、遊技球の始動口２５に対する入賞率を調整することができる。この効果は右球噛み防止壁７４および右反射面７５のそれぞれについても同様である。
【００３８】
上記実施例１においては、左下ステージ面６４および右下ステージ面６６のそれぞれを波状に設けても良い。
上記実施例１においては、左下ステージ面６４および右下ステージ面６６のいずれか一方を廃止しても良い。即ち、下ステージ６３に１個の下ステージ面を形成する構成としても良い。
【００３９】
上記実施例１は特許請求の範囲に記載された発明に加えて下記の［その他発明１］〜［その他発明４］を有している。
［その他発明１］
表示台枠（３０）に設けられ、遊技球を上ステージ（４８）から排出する排出口（５７）と、
表示台枠（３０）に設けられ、排出口（５７）から排出された遊技球を右から左または左から右に向って転がす傾斜状の助走路（５９，６１）を備え、
下ステージ（６３）の下ステージ面（６４，６６）は、助走路（５９，６１）を通して遊技球が供給されるものであることを特徴とするパチンコ遊技機。
［その他発明２］
上ステージ面（５１）は、左右方向の中央部が残りの部分に比べて前方へ突出する円弧状に設定され、
上ステージ（４８）には、上ステージ面（５１）の後方に位置して電装部品が収納された容器状の収納部（４９）が設けられていることを特徴とするパチンコ遊技機。
［その他発明３］
上ステージ（４８）には、上ステージ面（５１）の前端部に位置して遊技球が遊技領域（２３）内から上ステージ面（５１）に跳ね上がることを防止する防護壁（５３）が設けられていることを特徴とするパチンコ遊技機。
［その他発明４］
表示台枠（３０）に設けられ、遊技球を上ステージ（４８）から排出する排出口（５７）と、
表示台枠（３０）に設けられ、排出口（５７）から排出された遊技球を右から左へ転がす傾斜状の左助走路（５９）と、
表示台枠（３０）に設けられ、排出口（５７）から排出された遊技球を左から右へ転がす傾斜状の右助走路（６１）と、
表示台枠（３０）に設けられ、排出口（５７）から排出された遊技球を後から前へ真直ぐに転がす排出路（６９）を備え、
左助走路（５９）には、左助走路（５９）を通して遊技球が供給されるものであって当該遊技球を左右方向へ繰返し転動させることが可能な左下ステージ面（６４）が接続され、
右助走路（６１）には、右助走路（６１）を通して遊技球が供給されるものであって当該遊技球を左右方向へ繰返し転動させることが可能な右下ステージ面（６６）が接続されていることを特徴とするパチンコ遊技機。
【図面の簡単な説明】
【００４０】
【図１】パチンコ遊技機の全体構成を示す前面図
【図２】パチンコ遊技機の全体構成を前枠の除去状態で示す前面図
【図３】（ａ）は表示台枠を示す前面図、（ｂ）は側面図
【図４】表示台枠の外観を示す斜視図
【図５】図３のＸ５線に沿う断面図
【図６】図７のＸ６線に沿う断面図
【図７】図６のＸ７線に沿う断面図
【図８】左球噛み防止壁および右球噛み防止壁を示す図
【符号の説明】
【００４１】
１８は遊技盤、２３は遊技領域、３０は表示台枠、３２は図柄表示器、４８は上ステージ、５１は上ステージ面、６３は下ステージ、６４は左下ステージ面、６６は右下ステージ面、７２は左球噛み防止壁、７３は左反射面、７４は右球噛み防止壁、７５は右反射面を示している。
【図１】
2008079883.tif 000003
【図２】
2008079883.tif 000004
【図３】
2008079883.tif 000005
【図４】
2008079883.tif 000006
【図５】
2008079883.tif 000007
【図６】
2008079883.tif 000008
【図７】
2008079883.tif 000009
【図８】
2008079883.tif 000010